(57)【要約】【課題】原稿画像の受信能力がない機器の利用者が、元の原稿内容の確認を図ること。【解決手段】画像処理装置１００は、外部から入力されたデータを送信する送信先を指定し、画像データを蓄積する画像蓄積部１０８と、画像蓄積部１０８により蓄積された画像データの蓄積場所に関する情報を取得するＵＲＬ取得部１１０と、ＵＲＬ取得部１１０により取得した画像データの蓄積場所に関する情報を指定した送信先へ送信する送信することを特徴とする。【選択図】        図１
2006253846.tif 000002
【特許請求の範囲】
【請求項１】
外部から入力された画像データを送信する送信先を指定する指定手段と、
前記画像データを蓄積する蓄積手段と、
前記蓄積手段により蓄積された前記画像データの蓄積場所に関する情報を取得する取得手段と、
前記取得手段により取得した前記蓄積場所に関する情報を前記指定手段により指定された前記送信先へ送信する送信手段と、
を備えることを特徴とする画像処理装置。
【請求項２】
前記画像データの送信先の機器能力に関する情報を取得する機器能力情報取得手段と、
前記機器能力情報取得手段により取得した前記送信先の機器能力に関する情報に基づいて、前記画像データが前記送信先へ送信できるか否かを判定する判定手段と、
前記判定手段により前記画像データが前記送信先へ送信できないと判定された場合に、前記画像データを蓄積する画像データ蓄積手段と、
前記画像データ蓄積手段により蓄積された前記画像データの蓄積場所のＵＲＬに関する情報を取得するＵＲＬ取得手段と、
前記ＵＲＬ取得手段により取得したＵＲＬに関する情報に基づいて、テキスト画像を生成するテキスト画像生成手段と、
前記テキスト画像生成手段により生成された前記テキスト画像を前記送信先へ送信するテキスト画像送信手段と、
を備えることを特徴とする請求項１に記載の画像処理装置。
【請求項３】
前記機器能力情報取得手段により取得した前記送信先の機器能力に関する情報に基づいて、前記画像データを前記送信先へ送信できる画像データへ変換する変換手段と、
前記変換手段により変換された前記画像データを前記送信先へ送信する変換画像データ送信手段と、
を備えることを特徴とする請求項２に記載の画像処理装置。
【請求項４】
外部から入力された画像データを送信する送信先を指定する指定工程と、
前記画像データを蓄積する蓄積工程と、
前記蓄積工程により蓄積された前記画像データの蓄積場所に関する情報を取得する取得工程と、
前記取得工程により取得した前記蓄積場所に関する情報を前記指定工程により指定された前記送信先へ送信する送信工程と、
を含むことを特徴とする画像処理方法。
【請求項５】
請求項４に記載の画像処理方法をコンピュータに実行させることを特徴とする画像処理プログラム。
【請求項６】
請求項５に記載の画像処理プログラムを記録したことを特徴とするコンピュータ読み取り可能な記録媒体。
【発明の詳細な説明】
【技術分野】
【０００１】
この発明は、電話回線やコンピュータネットワークなどを介して画像データの送受信を行う画像処理装置、画像処理方法、画像処理プログラムおよびコンピュータ読み取り可能な記録媒体に関する。
【背景技術】
【０００２】
従来、公衆電話回線網やコンピュータネットワークなどを介して、画像データを送受信する画像処理装置として、ファクシミリ装置があった。ファクシミリ装置は、送信側のファクシミリ装置の能力と、受信側のファクシミリ装置の能力に差異があることも多い。一般的に、能力に差異がある場合は、能力の低いファクシミリ装置あるいは受信側のファクシミリ装置にあわせて通信が行われている。
【０００３】
これまで、送信対象画像データを受信側のファクシミリ装置の能力にあわせ、サイズ変換や解像度変換や画像種別変換などの変換処理を行い、変換処理を行った画像データの送信を行うことができるファクシミリ装置が提案されている（例えば、下記特許文献１参照。）。
【０００４】
また、ファクシミリ装置にはモノクロ画像しか送受信できないタイプとカラー画像も送受信できるタイプが存在している。モノクロ画像しか受信できないファクシミリ装置にカラー画像を送信しようとすると、送信できないかモノクロ画像に変換して送信することになる。近年では、カラー画像をカラー受信機能のない受信側通信装置に送信するため、カラー画像データをモノクロ画像データに変換して再転送する通信装置も提案されている（例えば、下記特許文献２参照。）。
【０００５】
また、電子メールの普及に伴い、電子メールに画情報を添付してインターネットなどのネットワークを通して相手先に送信する、いわゆるインターネットファクシミリにおいて、電子メール本文に画情報に関する情報を記載し、添付する画情報を変換してデータ量を減らして送信する提案もされている（例えば、下記特許文献３参照。）。
【０００６】
【特許文献１】特開２０００−２６１５７８号公報
【特許文献２】特開２００３−６９８３７号公報
【特許文献３】特開２００１−２２６６０号公報
【発明の開示】
【発明が解決しようとする課題】
【０００７】
しかしながら、カラー画像を送受信できるファクシミリ装置でカラー原稿の送信を行う際、受信側がモノクロ画像しか受信できないファクシミリ装置であった場合は、受信側の利用者はカラー原稿が受け取れない。また、モノクロ画像データに変換した画像データを受け取った場合でも、カラーであることで意味のある画像データの場合は、モノクロ画像データでは意味をなさず、無駄になってしまう。さらに、受信側の利用者がカラー対応機器を導入するには、モノクロしか扱えない機器よりもコストがかかるため導入できないという問題がある。
【０００８】
この発明は、上述した従来技術による問題点を解消するため、原稿画像を蓄積し、原稿画像のＵＲＬ（Ｕｎｉｆｏｒｍ  Ｒｅｓｏｕｒｃｅ  Ｌｏｃａｔｏｒ）を取得することで、ネットワークからブラウザを用いて参照でき、原稿画像の受信する能力のない機器しか持っていない利用者でも元の原稿の内容を確認できる画像処理装置、画像処理方法、画像処理プログラムおよびコンピュータ読み取り可能な記録媒体を提供することを目的とする。
【課題を解決するための手段】
【０００９】
上述した課題を解決し、目的を達成するため、請求項１の発明にかかる画像処理装置は、外部から入力された画像データを送信する送信先を指定する指定手段と、前記画像データを蓄積する蓄積手段と、前記蓄積手段により蓄積された前記画像データの蓄積場所に関する情報を取得する取得手段と、前記取得手段により取得した前記蓄積場所に関する情報を前記指定手段により指定された前記送信先へ送信する送信手段と、を備えることを特徴とする。
【００１０】
この請求項１の発明によれば、画像データの送信先を指定して、指定した送信先に蓄積した画像データの蓄積場所に関する情報を送信することができるため、送信先では、画像データの蓄積場所にアクセスすることで、画像データの確認ができる。
【００１１】
また、請求項２の発明にかかる画像処理装置は、請求項１に記載の発明において、前記画像データの送信先の機器能力に関する情報を取得する機器能力情報取得手段と、前記機器能力情報取得手段により取得した前記送信先の機器能力に関する情報に基づいて、前記画像データが前記送信先へ送信できるか否かを判定する判定手段と、前記判定手段により前記画像データが前記送信先へ送信できないと判定された場合に、前記画像データを蓄積する画像データ蓄積手段と、前記画像データ蓄積手段により蓄積された前記画像データの蓄積場所のＵＲＬに関する情報を取得するＵＲＬ取得手段と、前記ＵＲＬ取得手段により取得したＵＲＬに関する情報に基づいて、テキスト画像を生成するテキスト画像生成手段と、前記テキスト画像生成手段により生成された前記テキスト画像を前記送信先へ送信するテキスト画像送信手段と、を備えることを特徴とする。
【００１２】
この請求項２の発明によれば、送信先の機器情報を取得して画像データの送信が可能か否かを判定する。画像データの送信が可能でなければ、その画像データを参照できる蓄積場所のＵＲＬを取得する。さらに、取得したＵＲＬを記載したテキスト画像を生成して、テキスト画像を送信先へ送信することができるため、送信先はテキスト画像に記載のＵＲＬに基づいて、画像データを確認することができる。
【００１３】
また、請求項３の発明にかかる画像処理装置は、請求項２に記載の発明において、前記機器能力情報取得手段により取得した前記送信先の機器能力に関する情報に基づいて、前記画像データを前記送信先へ送信できる画像データへ変換する変換手段と、前記変換手段により変換された前記画像データを前記送信先へ送信する変換画像データ送信手段と、を備えることを特徴とする。
【００１４】
この請求項３の発明によれば、送信先の機器能力に基づいて、画像データを送信が可能な画像データに変換し、送信が可能となった画像データを送信先へ送信することができるため、画像データの概略を確認し、詳細の確認が必要であれば、ＵＲＬを記載したテキスト画像に基づいて画像データを確認することができる。
【００１５】
また、請求項４の発明にかかる画像処理方法は、外部から入力された画像データを送信する送信先を指定する指定工程と、前記画像データを蓄積する蓄積工程と、前記蓄積工程により蓄積された前記画像データの蓄積場所に関する情報を取得する取得工程と、前記取得工程により取得した前記蓄積場所に関する情報を前記指定工程により指定された前記送信先へ送信する送信工程と、を含むことを特徴とする。
【００１６】
この請求項４の発明によれば、画像データの送信先を指定して、指定した送信先に蓄積した画像データの蓄積場所に関する情報を送信することができるため、送信先では、画像データの蓄積場所にアクセスすることで、画像データの確認ができる。
【００１７】
また、請求項５にかかる画像処理プログラムは、請求項４に記載の画像処理方法をコンピュータに実行させることを特徴とする。
【００１８】
この請求項５の発明によれば、請求項４に記載の画像処理方法をコンピュータに実行させることが可能となる。
【００１９】
また、請求項６にかかるコンピュータ読み取り可能な記録媒体は、請求項５に記載の画像処理プログラムを記録したことを特徴とする。
【００２０】
この請求項６の発明によれば、請求項５に記載の画像処理プログラムがコンピュータに読み取られて実行される。
【発明の効果】
【００２１】
本発明にかかる画像処理装置、画像処理方法、画像処理プログラムおよびコンピュータ読み取り可能な記録媒体によれば、送信先の相手機器の受信できない画像データに対しても、画像データを参照できるＵＲＬを送信することにより、送信先でＵＲＬを参照し、画像データの確認ができ、利便性が向上するという効果を奏する。
【００２２】
また、本発明にかかる画像処理装置、画像処理方法、画像処理プログラムおよびコンピュータ読み取り可能な記録媒体によれば、送信先の相手機器の受信できない画像データに対して、前述のＵＲＬとともに、受信可能な画像データに変換した画像データを送信することができる。したがって、送信先では画像データの概略を確認することができ、必要に応じてＵＲＬを参照して、画像データの確認ができるので利便性が向上するという効果を奏する。
【発明を実施するための最良の形態】
【００２３】
以下に添付図面を参照して、この発明にかかる画像処理装置、画像処理方法、画像処理プログラムおよびコンピュータ読み取り可能な記録媒体の好適な実施の形態を詳細に説明する。
【００２４】
（実施の形態１）
（画像処理装置の構成）
図１は、本発明の実施の形態１にかかる、画像処理装置の構成を示すブロック図である。本発明の実施の形態１にかかる画像処理装置１００は、スキャナ１０１と、プロッタ１０２と、符号化復号部１０３と、システム制御部１０４と、ネットワーク制御部１０５と、網制御部１０６と、モデム１０７と、画像蓄積部１０８と、操作表示部１０９と、ＵＲＬ取得部１１０と、テキスト画像生成部１１１がシステムバス１１２を介して接続されて構成されている。
【００２５】
システム制御部１０４は、装置全体を制御する。例えばシステム制御部１０４は、ＲＯＭ（ＲＯＭ：Ｒｅａｄ  Ｏｎｌｙ  Ｍｅｍｏｒｙ）に書き込まれた制御プログラムにしたがって、ＲＡＭ（ＲＡＭ：Ｒａｎｄｏｍ  Ａｃｃｅｓｓ  Ｍｅｍｏｒｙ）を作業領域として使用する、ＣＰＵ（ＣＰＵ：Ｃｅｎｔｒａｌ  Ｐｒｏｃｅｓｓｉｎｇ  Ｕｎｉｔ）などである。スキャナ１０１は、外部からの原稿画像を所定の解像度でカラーまたは白黒で読み取って画像データを得るためのものである。また、プロッタ１０２は、外部から受信した画像データやスキャナ１０１で読み取った画像データを、その画像データの線密度やサイズなどに応じて記録出力やコピー動作をするためのものである。
【００２６】
符号化復号部１０３は、送信画像データを所定の符号化方式で符号化圧縮し、受信画像データを受信画像データの符号化方式に対応する復号方式で復号伸張するものである。例えば符号化形式は、白黒画像データであればＭＨ（ＭＨ：Ｍｏｄｉｆｉｅｄ  Ｈｕｆｆａｍａｎ）符号化方式やＭＲ（ＭＲ：Ｍｏｄｉｆｉｅｄ  Ｒｅａｄ）符号化方式やＭＭＲ（ＭＭＲ：Ｍｏｄｉｆｉｅｄ  Ｍｏｄｉｆｉｅｄ  Ｒｅａｄ）符号化方式やＪＢＩＧ（ＪＢＩＧ：Ｊｏｉｎｔ  Ｂｉ−ｌｅｖｅｌ  Ｉｍａｇｅ  Ｇｒｏｕｐ）符号化方式などで、カラー画像データであればＪＰＥＧ（ＪＰＥＧ：Ｊｏｉｎｔ  Ｐｈｏｔｏｇｒａｐｈｉｃ  Ｅｘｐｅｒｔｓ  Ｇｒｏｕｐ）符号化方式などがあげられる。
【００２７】
ネットワーク制御部１０５は、コンピュータネットワークに接続され、画像処理装置１００がコンピュータネットワークを介してファクシミリ通信を行うことを可能とする。網制御部１０６は、公衆電話網を介しＧ３（Ｇ３：Ｇｒｏｕｐ  ３）プロトコルによるファクシミリ通信を制御するもので、モデム１０７による送受信に関する信号の変調および復調や、回線との接続制御を行う。
【００２８】
画像蓄積部１０８は、スキャナ１０１で読み取った画像データや、ネットワーク制御部１０５および網制御部１０６を介して送受信する画像データの蓄積および保存を行う。例えば画像蓄積部１０８は、システム制御部１０４の制御にしたがって、データのリード／ライトを行うＨＤ（ＨＤ：Ｈａｒｄ  Ｄｉｓｋ）などの記録媒体である。また、コンピュータネットワークなどを介して接続された、不図示の外部ＰＣ（ＰＣ：Ｐｅｒｓｏｎａｌ  Ｃｏｍｐｕｔｅｒ）へ画像データを送信して、外部ＰＣで蓄積および保存をする構成でもよい。
【００２９】
操作表示部１０９は、利用者が送信先や送受信の開始などの送受信に関する情報を入力するための操作キーあるいはタッチパネルなどと、送受信する画像データに対する属性情報や装置の動作状況などを表示するＬＣＤ（ＬＣＤ：Ｌｉｑｕｉｄ  Ｃｒｙｓｔａｌ  Ｄｉｓｐｌａｙ）などで構成される。例えば利用者は、テンキーにより送信先電話番号を指定して、スタートキーによりファクシミリ送信をスタートすることができる。また、ファクシミリ送信の履歴などをＬＣＤなどで表示して確認することができる。
【００３０】
ＵＲＬ取得部１１０は、画像蓄積部１０８に蓄積された送信画像データの蓄積場所に関するＵＲＬを設定し取得する。利用者は、取得したＵＲＬを参照し、ネットワークからブラウザを用いて送信画像データを確認することができる。テキスト画像生成部１１１は、送信画像データに関して、ＵＲＬなどを記載したテキスト画像データを生成する。前述した各部はシステムバス１１２によって接続され、各種信号の授受が行われる。
【００３１】
なお、本実施の形態においては、ＵＲＬ取得部１１０は、画像蓄積部１０８に蓄積された送信画像データの蓄積場所に関するＵＲＬを取得する構成としたが、受信した画像データを参照できるＵＲＬであればよい。例えば、画像データの取得元のＵＲＬに関する情報を取得する構成としてもよい。
【００３２】
（画像処理装置の動作）
図２は、本発明の実施の形態１にかかる、画像処理装置のファクシミリ送信時の動作を示すフローチャートである。本図では、カラー画像をファクシミリ送信する画像処理装置１００について説明する。まず利用者は、送信対象となるカラー画像をスキャナ１０１にセットして、操作表示部１０９で送信先の指定およびカラー画像の読み込み開始など、所定の操作を実施する。続いてスキャナ１０１は、利用者がセットしたカラー画像を読み取る。画像処理装置１００は、網制御部１０６によりファクシミリ通信を制御し、発呼して相手先機器と交信をはじめると、Ｇ３プロトコルなどで送信元と相手先の互いの能力情報を交換する。そして、システム制御部１０４は、交換した能力情報に基づいて、相手先機器がカラー画像に対応している機器であるか、モノクロ画像だけ受信できる機器であるかを判断する（ステップＳ２０１）。
【００３３】
相手先機器がカラー画像に対応している機器であれば（ステップＳ２０１：Ｙｅｓ）、符号化復号部１０３はスキャナ１０１で読み取ったカラー画像データを所定の符号化方式で符号化圧縮する。例えば符号化圧縮は、ＪＰＥＧ方式で圧縮を行う。続いて画像処理装置１００は、網制御部１０６に制御されたモデム１０７を介して、符号化圧縮を行ったカラー画像データを相手先機器へ送信して（ステップＳ２０６）、処理を終了する。
【００３４】
また、相手先機器がモノクロ画像データだけ受信できる機器である場合は（ステップＳ２０１：Ｎｏ）、画像蓄積部１０８はスキャナ１０１で読み取ったカラー画像データを画像蓄積部１０８に蓄積する（ステップＳ２０２）。画像蓄積部１０８が蓄積するカラー画像データは、符号化復号部１０３で符号化圧縮したカラー画像データを蓄積する構成としてもよい。
【００３５】
つぎに、ＵＲＬ取得部１１０は、ステップＳ２０２で画像蓄積部１０８が蓄積したカラー画像データのＵＲＬを取得する（ステップＳ２０３）。その後、テキスト画像生成部１１１は、ＵＲＬ取得部１１０が取得したＵＲＬに関する情報を記載したテキスト画像データを生成する（ステップＳ２０４）。続いて画像処理装置１００は、網制御部１０６に制御されたモデム１０７を介して、テキスト画像生成部１１１が生成したテキスト画像データを送信して（ステップＳ２０５）、処理を終了する。テキスト画像データの送信は、符号化復号部１０３で符号化圧縮したテキスト画像データを送信する構成としてもよい。
【００３６】
図３は、本発明の実施の形態１にかかる、受信側がモノクロ画像しか受信できない場合に送信するＵＲＬを記載したテキスト画像データを示す図である。このテキスト画像データ３０１は、前述のステップＳ２０４でテキスト画像生成部１１１が生成したテキスト画像データ３０１である。本実施の形態１では、前述のステップＳ２０３で取得した画像蓄積部１０８が蓄積したカラー画像データのＵＲＬを、「以下のＵＲＬを参照して下さい。」という参照を促すメッセージとともに記載している。記載する項目は、参照を促すメッセージと送信対象となるカラー画像データのＵＲＬだけに限らなくてもよい。例えば、送信対象となるカラー画像データのサイズなどの属性に関する情報を記載する構成としてもよい。
【００３７】
以上説明した、本発明の実施の形態１によれば、送信対象がカラー画像データであって、相手先機器がモノクロ画像だけ受信できる機器であった場合には、送信対象となるカラー画像データのＵＲＬを記載したテキスト画像データを送信する。相手側は前述のＵＲＬを参照することでカラー画像データを確認することができる。また、カラー画像データの送信をせず、比較的小容量であるテキスト画像データの送信を行うため、機器への負担も軽減できる。
【００３８】
また、本発明の実施の形態１では、送信対象がカラー画像データである場合について説明したが、モノクロ画像データであってもよい。例えば、送信対象が大容量のモノクロ画像データであって、相手先機器が大容量を受信できない機器であった場合に、大容量のモノクロ画像を画像蓄積部１０８に蓄積して、その大容量のモノクロ画像データのＵＲＬを記載したテキスト画像データを相手先機器へ送信する構成としてもよい。
【００３９】
（実施の形態２）
つぎに、本発明の実施の形態２について説明する。本発明の実施の形態２にかかる、画像処理装置の構成は、実施の形態１と同様であるため、説明を省略する。本実施の形態２では、前述の実施の形態１において、カラー画像データをモノクロ画像データに変換するものである。そして、テキスト画像データとモノクロ画像データをあわせて送信するものである。
【００４０】
図４は、本発明の実施の形態２にかかる、画像処理装置のファクシミリ送信時の動作を示すフローチャートである。本図では、カラー画像をファクシミリ送信する画像処理装置１００について説明する。まず利用者は、送信対象となるカラー画像をスキャナ１０１にセットして、操作表示部１０９で送信先の指定およびカラー画像の読み込み開始など所定の操作を実施する。スキャナ１０１は、利用者がセットしたカラー画像を読み取る。画像処理装置１００は、網制御部１０６によりファクシミリ通信を制御し、発呼して相手先機器と交信をはじめると、Ｇ３プロトコルなどで送信元と相手先の互いの能力情報を交換する。そして、システム制御部１０４は、交換した能力情報に基づいて、相手先機器がカラー画像に対応している機器であるか、モノクロ画像だけ受信できる機器であるかを判断する（ステップＳ４０１）。
【００４１】
相手先機器がカラー画像に対応している機器であれば（ステップＳ４０１：Ｙｅｓ）、符号化復号部１０３はスキャナ１０１で読み取ったカラー画像データを所定の符号化方式で符号化圧縮する。例えば符号化圧縮は、ＪＰＥＧ方式で圧縮を行う。続いて画像処理装置１００は、網制御部１０６に制御されたモデム１０７を介して、符号化圧縮を行ったカラー画像データを相手先機器へ送信して（ステップＳ４０７）、処理を終了する。
【００４２】
また、相手先機器がモノクロ画像だけ受信できる機器である場合は（ステップＳ４０１：Ｎｏ）、画像蓄積部１０８はスキャナ１０１で読み取ったカラー画像データを画像蓄積部１０８に蓄積する（ステップＳ４０２）。画像蓄積部１０８が蓄積するカラー画像データは、符号化復号部１０３で符号化圧縮したカラー画像データを蓄積する構成としてもよい。
【００４３】
ここで、本実施の形態２では、カラー画像データの蓄積にあわせて、カラー画像データの変換をして、モノクロ画像データを生成する（ステップＳ４０３）。
【００４４】
つぎに、ＵＲＬ取得部１１０は、ステップＳ４０２で画像蓄積部１０８が蓄積したカラー画像データのＵＲＬを取得する（ステップＳ４０４）。その後、テキスト画像生成部１１１は、ＵＲＬ取得部１１０が取得したＵＲＬに関する情報を記載したテキスト画像データを生成する（ステップＳ４０５）。続いて画像生成装置１００は、網制御部１０６に制御されたモデム１０７を介して、ステップＳ４０３で生成したモノクロ画像データとテキスト画像データを送信して（ステップＳ４０６）、処理を終了する。テキスト画像データの送信は、符号化復号部１０３で符号化圧縮したテキスト画像データを送信する構成としてもよい。
【００４５】
図５は、本発明の実施の形態２にかかる、受信側がモノクロ画像しか受信できない場合にモノクロ画像データとともに送信するＵＲＬを記載したテキスト画像データを示す図である。このテキスト画像データ５０１は、前述のステップＳ４０５でテキスト画像生成部１１１が生成したテキスト画像データである。本実施の形態２では、前述のステップＳ４０４で取得した画像蓄積部１０８が蓄積したカラー画像データのＵＲＬを、「この文書の原稿はカラー画像です。カラー画像を確認する場合は、以下のＵＲＬを参照してください。」という参照を促すメッセージとともに記載している。このメッセージによって、モノクロ画像データを送られた受信側のユーザーは送信対象の画像データはカラー原稿であったが、モノクロ画像を受信したことに気付く。
【００４６】
以上説明した、本発明の実施の形態２によれば、送信対象がカラー画像データであって、相手先機器がモノクロ画像だけ受信できる機器であった場合には、送信対象となるカラー画像データのＵＲＬを記載したテキスト画像データを送信する。また、テキスト画像データとあわせて、カラー画像データを変換してモノクロ画像としたモノクロ画像データも送信し、相手側利用者に報知することができるため、相手側利用者は必要に応じて、カラー画像データの確認ができる。
【００４７】
以上説明したように、画像処理装置、画像処理方法、画像処理プログラムおよびコンピュータ読み取り可能な記録媒体によれば、送信先の相手機器が受信できない画像データを送信する場合でも、画像データを蓄積して、蓄積した画像データを参照できるＵＲＬを取得することができる。そして、取得したＵＲＬを送信先相手機器へ送信することにより、送信先では、受信できない画像データの確認もできる。
【００４８】
また、送信先の相手機器が受信できる画像データに変換して、変換した画像データの受信もできるため、送信先では、必要に応じて受信できない画像データを確認することができる。
【００４９】
なお、本実施の形態で説明した画像処理方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【００５０】
以上のように、本発明にかかる画像処理装置、画像処理方法、画像処理プログラムおよびコンピュータ読み取り可能な記録媒体は、複写機やコピー機など画像の出力を実行する画像処理装置に有用であり、特に、カラー画像を送信できるファクシミリ装置に適している。
【図面の簡単な説明】
【００５１】
【図１】本発明の実施の形態１にかかる、画像処理装置の構成を示すブロック図である。
【図２】本発明の実施の形態１にかかる、画像処理装置のファクシミリ送信時の動作を示すフローチャートである。
【図３】本発明の実施の形態１にかかる、受信側がモノクロ画像しか受信できない場合に送信するＵＲＬを記載したテキスト画像データを示す図である。
【図４】本発明の実施の形態２にかかる、画像処理装置のファクシミリ送信時の動作を示すフローチャートである。
【図５】本発明の実施の形態２にかかる、受信側がモノクロ画像しか受信できない場合にモノクロ画像データとともに送信するＵＲＬを記載したテキスト画像データを示す図である。
【符号の説明】
【００５２】
１００  画像処理装置
１０１  スキャナ
１０２  プロッタ
１０３  符号化復号部
１０４  システム制御部
１０５  ネットワーク制御部
１０６  網制御部
１０７  モデム
１０８  画像蓄積部
１０９  操作表示部
１１０  ＵＲＬ取得部
１１１  テキスト画像生成部
１１２  システムバス
３０１、５０１  テキスト画像データ
【図１】
2006253846.tif 000003
【図２】
2006253846.tif 000004
【図３】
2006253846.tif 000005
【図４】
2006253846.tif 000006
【図５】
2006253846.tif 000007